(57)【要約】【課題】爪の研磨により生じる粉塵が空気中に飛散してしまうことを防ぐことができる箱型器具を提供する。【解決手段】爪研磨用箱型器具１００の施術者側側面１１０には右用施術者側孔部１１１，左用施術者側孔部１１４が、施術者側側面１１０に対面する被施術者側側面１２０には、右用施術者側孔部，左用施術者側孔部がそれぞれ形成されている。また、上面１６０は、透明なアクリル板により構成されている。そして、施術者側側面１１０に向かって左側のフィルタ側側面１３０にはフィルタ１３５ａが設けられていると共に、フィルタ側側面１３０に対面するファン側側面１４０の上方には、フィルタ１３５ａの中央に向けて風圧を生成するファン１４５ａが設けられている。【選択図】図１
2011041653.tif 000002
【特許請求の範囲】
【請求項１】
爪研磨を行うための内部空間を形成しており、前記内部空間を取り囲む板状部材には、前記爪研磨の施術者の手を前記内部空間に入れるための施術者側孔部と、前記爪研磨の被施術者の手或いは足を前記内部空間に入れるための被施術者側孔部とが形成されている箱型器具であって、
前記内部空間で行われる前記爪研磨を当該箱型器具の外側から視認するために、前記板状部材により形成された当該箱型器具の上面或いは側面に、該板状部材の一部として設けられた透明部材と、
前記爪研磨において生じた粉塵を付着させる付着手段を設置する設置場所に対して、前記内部空間を隔てて対向する位置に配置され、前記付着手段に向けて風圧を生成し、前記粉塵を前記付着手段に付着させる風圧生成手段と、
を備えることを特徴とする箱型器具。
【請求項２】
請求項１に記載の箱型器具において、
前記付着手段は、前記粉塵を吸着可能なフィルタとして構成されており、
前記側面には、前記付着手段の前記設置場所となる付着手段用孔部が形成されていること、
を特徴とする箱型器具。
【請求項３】
請求項１または請求項２に記載の箱型器具において、
前記施術者側孔部の縁部と、該孔部を通過する前記施術者の手との隙間を塞ぐ施術者側遮蔽手段をさらに備えること、
を特徴とする箱型器具。
【請求項４】
請求項１から請求項３のいずれかに記載の箱型器具において、
前記被施術者側孔部の縁部と、該孔部を通過する前記被施術者の手或いは足との隙間を塞ぐ被施術者側遮蔽手段をさらに備えること、
を特徴とする箱型器具。
【請求項５】
請求項１から請求項４のいずれかに記載の箱型器具において、
前記施術者側孔部と前記被施術者側孔部とは、互いに対面した状態で前記側面に形成されており、
前記上面は、前記施術者側孔部の正面に位置する前記施術者に対面する施術者側傾斜面と、前記被施術者側孔部の正面に位置する前記被施術者に対面する施術者側傾斜面との少なくとも二つの傾斜面により山型に形成されており、その頂部は、前記施術者側孔部と前記被施術者側孔部との間の中央から前記施術者側孔部寄りに設けられていること、
を特徴とする箱型器具。
【請求項６】
請求項５に記載の箱型器具において、
前記上面は、前記施術者側傾斜面の傾斜角度が、前記被施術者側傾斜面の傾斜角度よりも大きくなるよう形成されていること、
を特徴とする箱型器具。
【請求項７】
請求項１から請求項６のいずれかに記載の箱型器具において、
前記内部空間を照らす発光手段をさらに備えること、
を特徴とする箱型器具。
【請求項８】
請求項１から請求項７のいずれかに記載の箱型器具において、
前記風圧生成手段と前記設置場所とは、該風圧生成手段により生成された該設置場所に向けての風圧の方向が、前記板状部材により形成される当該箱型器具の底面を基準とする水平方向に対し、該底面側に予め定められた角度分傾いた方向となる位置に配置されていること、
を特徴とする箱型器具。
【発明の詳細な説明】
【技術分野】
【０００１】
本発明は、内部空間にて爪研磨を行う箱型器具に関する。
【背景技術】
【０００２】
爪の装飾や手入れを行うネイルサロン等では、専用の研磨装置を用いて爪の研磨が行われるが、この研磨により生じた粉塵が飛散し、空気中に浮遊した状態となる。このため、空気を吸引してフィルタ等で濾過することにより空気中の粉塵を取り除く吸引装置を稼動させながら爪の研磨が行われていた。尚、特許文献１には、このような吸引装置が内蔵された作業台が記載されている。
【先行技術文献】
【特許文献】
【０００３】
【特許文献１】特開２００６−３４６６１号公報
【発明の概要】
【発明が解決しようとする課題】
【０００４】
しかしながら、吸引装置を稼動させているにも関らず、店内に設置されたパソコンの冷却ファンに、爪の研磨により生じた粉塵が大量に付着していたという事例が存在する。つまり、吸引装置を稼動させたとしても、空気中に飛散してしまった粉塵を十分に取り除くことは困難であり、また、吸引装置の集塵効率は、店内の空気の流れの状態、ひいては、店内に設けられた空調設備の稼動状態や、窓，扉の開閉状態によって変化するため、かなりの量の粉塵が空気中に残ったままとなっていると考えられる。
【０００５】
本願発明は上記課題に鑑みてなされたものであり、爪の研磨により生じる粉塵が空気中に飛散してしまうことを防ぐことができる箱型器具を提供することを目的とする。
【課題を解決するための手段】
【０００６】
上記課題に鑑みてなされた請求項１に記載の発明は、爪研磨を行うための内部空間を形成しており、内部空間を取り囲む板状部材には、爪研磨の施術者の手を内部空間に入れるための施術者側孔部と、爪研磨の被施術者の手或いは足を内部空間に入れるための被施術者側孔部とが形成されている箱型器具に関するものである。この箱型器具は、内部空間で行われる爪研磨を当該箱型器具の外側から視認するために、板状部材により形成された当該箱型器具の上面或いは側面に、該板状部材の一部として設けられた透明部材と、爪研磨において生じた粉塵を付着させる付着手段を設置する設置場所に対して、内部空間を隔てて対向する位置に配置され、付着手段に向けて風圧を生成し、粉塵を付着手段に付着させる風圧生成手段と、を備えることを特徴とする。
【０００７】
こうすることにより、施術者は、箱型器具の内部空間で被施術者の手或いは足の爪の研磨を行うことができる。そして、このような箱型器具の内部空間で爪研磨を行うと、風圧生成手段により生成された風圧により爪研磨にて生じた粉塵が付着手段に向けて飛ばされるため、粉塵を効率良く付着手段に付着させることができる。したがって、粉塵が箱型器具の外部の空気中に飛散してしまうことを防ぐことができる。
【０００８】
また、請求項１に記載の箱型機器では、例えば、ファンを風圧生成手段として用いて風圧を生成させることが考えられるが、ファンを用いる場合には、粉塵を吸引する吸引装置を用いる場合に比べて騒音を抑えることができる。
【０００９】
また、付着手段として次のようなものを用いても良い。
すなわち、請求項２に記載されているように、付着手段は、粉塵を吸着可能なフィルタとして構成されており、側面には、付着手段の設置場所となる付着手段用孔部が形成されていても良い。
【００１０】
こうすることにより、付着手段用孔部に付着手段としてのフィルタを装着することが可能となり、付着手段用孔部にフィルタを装着した状態で内部空間にて爪研磨を行うことにより、爪研磨により生じた粉塵の飛散を防ぐことができる。
【００１１】
また、付着手段用孔部に装着されたフィルタに向けて風圧が生成されることにより、内部空間の換気が行われるため、内部空間の温度や湿度の上昇を抑えることができる。このため、箱型器具の内部空間を施術者や被施術者にとって快適な状態に保つことができると共に、透明部材が曇ってしまう等といった事態の発生を防ぐことができる。
【００１２】
また、爪研磨の施術者や被施術者が孔部から箱型器具の内部に手等を入れると、手と孔部の縁部との間に隙間ができてしまう。
そこで、請求項３に記載の箱型器具は、施術者側孔部の縁部と、該孔部を通過する施術者の手との隙間を塞ぐ施術者側遮蔽手段をさらに備えている。
【００１３】
また、請求項４に記載の箱型器具は、被施術者側孔部の縁部と、該孔部を通過する被施術者の手或いは足との隙間を塞ぐ被施術者側遮蔽手段をさらに備えている。
こうすることにより、箱型器具の内部空間で行われた爪研磨により生じた粉塵が箱型器具の外部の空気中に飛散してしまうことをより確実に防ぐことができる。
【００１４】
また、爪研磨は緻密な作業であるため、施術者は、自分の手元で爪研磨の作業を行ったほうが作業をやり易くなり、作業効率や作業の質を向上させることができると考えられる。このため、爪研磨の対象となる被施術者の爪が施術者により近い位置、つまり、施術者側孔部寄りの位置に存在する状態で爪研磨の作業が行われるほうが望ましいと考えられる。
【００１５】
そこで、請求項５に記載の箱型器具は、施術者側孔部と被施術者側孔部とは、互いに対面した状態で側面に形成されており、上面は、施術者側孔部の正面に位置する施術者に対面する施術者側傾斜面と、被施術者側孔部の正面に位置する被施術者に対面する施術者側傾斜面との少なくとも二つの傾斜面により山型に形成されており、その頂部は、施術者側孔部と被施術者側孔部との間の中央から施術者側孔部寄りに設けられている。
【００１６】
こうすることにより、箱型器具の内部空間において、施術者側孔部寄りの空間をより広く確保することができる。したがって、施術者は、自分の手元で爪研磨の作業を行い易くなり、作業効率や作業の質を向上させることが可能となる。
【００１７】
さらに、請求項６に記載の箱型器具では、上面は、施術者側傾斜面の傾斜角度が、被施術者側傾斜面の傾斜角度よりも大きくなるよう形成されている。
こうすることにより、施術者は、施術者側孔部寄りの位置に存在する被施術者の爪を視認し易くなると共に、該被施術者は、爪研磨が行われる自身の爪を視認し易くなる。
【００１８】
また、請求項７に記載されているように、箱型器具は、内部空間を照らす発光手段をさらに備えていても良い。
こうすることにより、箱型器具の内部空間を視認することが容易となり、爪研磨の作業効率や作業の質を向上させることができる。
【００１９】
また、風圧生成手段と付着手段の設置場所は、次のように配置されていても良い。
すなわち、請求項８に記載されているように、風圧生成手段と設置場所とは、該風圧生成手段により生成された該設置場所に向けての風圧の方向が、板状部材により形成される当該箱型器具の底面を基準とする水平方向に対し、該底面側に予め定められた角度分傾いた方向となる位置に配置されていても良い。
【００２０】
こうすることにより、箱型器具の底面寄りの方向に向けて風圧を生成することができる。このため、例えば、底面に濡れたタオル等を配置しておくことにより、この濡れたタオル等に向けて爪研磨により生じた粉塵を飛ばすことができ、粉塵を濡れたタオル等に吸着させることができる。
【図面の簡単な説明】
【００２１】
【図１】爪研磨用箱型器具の平面図、正面図である。
【図２】爪研磨用箱型器具の背面図、左側面図である。
【図３】爪研磨用箱型器具の右側面図である。
【図４】爪研磨用箱型器具の使用態様を示す説明図である。
【発明を実施するための形態】
【００２２】
以下、本発明の実施形態について図面を用いて説明する。尚、本発明の実施の形態は、下記の実施形態に何ら限定されることはなく、本発明の技術的範囲に属する限り種々の形態を採りうる。
【００２３】
［構成の説明］
本実施形態の爪研磨用箱型器具の構成について説明する。図１（ａ）には爪研磨用箱型器具１００の平面図が、（ｂ）には正面図が、図２（ａ）には背面図が、（ｂ）には左側面図が、図３には右側面図がそれぞれ記載されている。
【００２４】
爪研磨用箱型器具１００は、板状の部材により箱状に形成された機器であり、図４に記載されているように、該機器を挟んで爪研磨の施術者と被施術者とが対面する位置に配置され、その内部空間で爪研磨が行われる。図１〜３に記載されているように、爪研磨用箱型器具１００は、施術者に対面する施術者側側面１１０と、被施術者に対面すると共に、内部空間を挟んで施術者側側面１１０と対面する被施術者側側面１２０と、施術者側側面に向かって左側の側面であり、フィルタを装着するフィルタ用孔部１３５が設けられているフィルタ側側面１３０と、施術者側側面に向かって右側の側面であり、上下方向における中央から上端寄りの位置にファンを設置するためのファン用孔部１４５が設けられているファン側側面１４０と、底面１５０と、例えば透明なアクリル板により山型に形成されており、施術者側側面１１０，被施術者側側面１２０，フィルタ側側面１３０，ファン側側面１４０，底面１５０とからなる本体から取り外し可能に構成されている上面１６０とを有している。
【００２５】
そして、施術者側側面１１０には、施術者の手を通すことが可能な大きさの二つの孔であり、該面に向かって右側に配置された右用施術者側孔部１１１、及び、該面に向かって左側に配置された左用施術者側孔部１１４と、右用施術者側孔部１１１と左用施術者側孔部１１４との間に設けられ、内部空間での爪研磨に用いられる研磨装置の電源コード等を通すための装置用孔部１１７と、が形成されている。尚、右用施術者側孔部１１１及び左用施術者側孔部１１４は、長手方向が底面に対し水平な楕円形の孔として形成されている。
【００２６】
さらに、施術者側側面１１０には、施術者の手がその内部を通過できるよう筒状に形成された布状の部材であって、一方の開口縁が右用施術者側孔部１１１の縁部に着脱可能に取り付けられていると共に、他方の開口縁１１２ａに沿ってゴムが取り付けられており、他方の開口縁１１２ａが内部を通過する施術者の手に密着するよう構成されている右用施術者側遮断部材１１２と、左用施術者側孔部１１４に対して設けられた右用施術者側遮断部材１１２と同様の左用施術者側遮断部材１１５と、装置用孔部１１７を塞ぐようにして取り付けられた板状のゴムであり、自身を貫通する十字状の切り込み１１８ａが設けられた装置用遮断部材１１８と、右用施術者側孔部１１１及び左用施術者側孔部１１４の上方に設けられ、施術者側側面１１０から内部空間を照らすＬＥＤ照明１７０と、が設けられている。
【００２７】
また、被施術者側側面１２０には、被施術者の手或いは足を通すことが可能な大きさの二つの孔であり、該面に向かって右側に配置された右用被施術者側孔部１２１、及び、該面に向かって左側に配置された左用被施術者側孔部１２４が形成されている。尚、右用被施術者側孔部１２１及び左用被施術者側孔部１２４は、長手方向が底面に対し水平な楕円形の孔として形成されている。
【００２８】
さらに、被施術者側側面１２０には、被施術者の手或いは足がその内部を通過できるよう筒状に形成された布状の部材であって、一方の開口縁が右用被施術者側孔部１２１の縁部に着脱可能に取り付けられていると共に、他方の開口縁１２２ａに沿ってゴムが取り付けられており、他方の開口縁１２２ａが内部を通過する施術者の手等に密着するよう構成されている右用被施術者側遮断部材１２２と、左用被施術者側孔部１２４に対して設けられた、右用被施術者側遮断部材１２２と同様の左用被施術者側遮断部材１２５と、が設けられている。
【００２９】
また、フィルタ側側面１３０には、フィルタ用孔部１３５に着脱可能に装着された、爪研磨により生じた粉塵を除去可能なフィルタ１３５ａが設けられている。
また、ファン側側面１４０には、ファン用孔部１４５に着脱可能に装着されたファン１４５ａが設けられている。尚、ファン１４５ａは、その向きが、爪研磨用箱型器具１００の底面を基準とする水平方向に対し例えば２０°分底面側に傾いた状態に設定されており、フィルタ側側面１３０に装着されたフィルタ用孔部１３５の略中央に向けて風圧を生成するようにその向きが調整されている。また、ファン１４５ａは、風量調整が可能に構成されていても良い。
【００３０】
また、上面１６０は、施術者側側面１１０の正面に存在する施術者に対面する施術者側傾斜面１６１と、被施術者側側面１２０の正面に存在する被施術者に対面する被施術者側傾斜面１６２との二枚の傾斜面により山型に形成されている。そして、施術者側傾斜面１６１と被施術者側傾斜面１６２との接線により形成される頂部が、施術者側側面１１０と被施術者側側面１２０との間の中央から施術者側側面１１０側寄りに位置するよう、施術者側傾斜面１６１の傾斜角度は、被施術者側傾斜面１６２の傾斜角度よりも大きく設定されている。
【００３１】
［効果］
本実施形態の爪研磨用箱型器具１００によれば、図４に記載されているようにして、その内部空間で爪研磨を行うことができる。そして、爪研磨用箱型器具１００の内部空間で爪研磨を行うと、ファン１４５ａにより生成された風圧により爪研磨にて生じた粉塵がフィルタ１３５ａに向けて飛ばされるため、粉塵を効率良くフィルタ１３５ａに付着させることができる。したがって、粉塵が爪研磨用箱型器具１００の外部の空気中に飛散してしまうことを防ぐことができる。
【００３２】
また、フィルタ用孔部１３５に設けられたフィルタ１３５ａに向けて風圧を生成することにより内部空間の換気が行われるため、内部空間の温度や湿度の上昇を抑えることができる。このため、爪研磨用箱型器具１００の内部を施術者や被施術者にとって快適な状態に保つことができると共に、アクリル板で構成された上面１６０が曇ってしまう等といった事態の発生を防ぐことができる。
【００３３】
また、施術者側孔部や被施術者側孔部には、この孔部を通過する施術者或いは被施術者の手等と孔部の縁部との間の隙間をふさぐための遮断部材が設けられている。このため、爪研磨用箱型器具１００の内部空間で行われた爪研磨により生じた粉塵が爪研磨用箱型器具１００の外部の空気中に飛散してしまうことをより確実に防ぐことができる。
【００３４】
また、フィルタ１３５ａや施術者側孔部や被施術者側孔部に設けられた遮断部材は取り外し可能に構成されている。このため、フィルタ１３５ａや遮断部材が汚れた場合に取り替えることや、被施術者毎に被施術者側孔部に設けられた遮断部材を取り替えることが可能となり、清潔さを保つことが可能となる。
【００３５】
また、上面１６０は取り外し可能に構成されている。このため、爪研磨に必要な器具を爪研磨用箱型器具１００の内部空間に設置することが容易となり、爪研磨用箱型器具１００の利便性を高めることができる。
【００３６】
［他の実施形態］
（１）本実施形態では、爪研磨により生じた粉塵を吸着させるための部材として、フィルタ側側面１３０に設けられたフィルタ１３５ａが用いられている。しかしながら、このフィルタ１３５ａに替えて、上記粉塵を除去可能なスポンジ等の多孔質の物体を、フィルタ側側面１３０の付近に配置しても良い。このような構成を有する場合であっても、爪研磨の作業用スペースを挟んで上述した多孔質の物体とファン１４５ａとを対面させることができるため、爪研磨により生じた粉塵を効率良く除去することができる。
【００３７】
（２）また、右用施術者側孔部１１１，左用施術者側孔部１１４，右用被施術者側孔部１２１，左用被施術者側孔部１２４には、それぞれ、これらの孔部を通過する手や足との隙間を塞ぐ布状の遮断部材が取り付けられているが、これらの部材は必ずしも必要というわけではなく、これらの遮断部材が取り付けられていなくても、爪研磨により生じた粉塵の飛散を抑えることができる。
【００３８】
また、右用施術者側遮断部材１１２等の形態としては、本実施形態で例示したもの以外にも様々なものが考えられる。具体的には、これらの遮断部材は、例えば、十字状の切り込みにより貫通されている板状のゴムやスポンジであっても良いし、中央に穴部が設けられている伸縮性を有する布状の部材であっても良い。このような場合であっても、右用施術者側孔部１１１等を通過する手や足と該孔部の開口縁との隙間を塞ぐことができるため、同様の効果を得ることができる。
【００３９】
（３）また、本実施形態では、施術者側孔部と被施術者側孔部とが対面する二つの側面にそれぞれ形成されている。しかしながら、これらの孔部は、必ずしも対面する二つの側面に形成されている必要は無く、例えば、これらの孔部は、直交する二つの側面にそれぞれ形成されていても良いし、一方が側面に、他方が上面に形成されていても良い。施術者側孔部と被施術者側孔部とがこのように形成されている場合であっても、爪研磨用箱型器具１００の内部空間で爪研磨を行うことができる。
【００４０】
（４）また、本実施形態では、上面１６０は、全体が透明なアクリル板で構成されているが、例えば、縁部から数ｃｍ以上離れた領域のみを、透明なアクリル板で構成しても良い。また、施術者側側面１１０や被施術者側側面１２０の全部、或いは上面１６０との境界線から例えば数ｃｍ以内の領域を、透明なアクリル板で構成しても良い。このような構成を有する場合であっても、爪研磨用箱型器具１００の内部空間で行われる爪研磨を外側から視認することができる。
【００４１】
（５）また、本実施形態では、上面１６０は、施術者側傾斜面１６１と被施術者側傾斜面１６２との二枚の傾斜面により山型に形成されているが、例えば、上面１６０は、施術者に対面する施術者側側面と、被施術者に対面する被施術者側側面との少なくとも二枚の傾斜面を含む三枚以上の傾斜面により山型に形成されていても良い。そして、その頂部が、施術者側側面と被施術者側側面との間の中央から施術者側側面側寄りに位置するよう、各傾斜面の形状や傾斜角度が設定されていても良い。
【００４２】
また、上面１６０は、例えば、施術者側傾斜面及び被施術者側傾斜面と、これらの傾斜面に接する頂面とを含む三枚以上の面により山型に形成されていても良い。そして、この頂面が、施術者側側面と被施術者側側面との間の中央から施術者側側面側寄りに位置するよう、各傾斜面及び頂面の形状や傾斜角度が設定されていても良い。
【００４３】
このような構成を有する場合であっても、同様の効果を得ることができる。
（６）また、爪研磨用箱型器具１００の底面１５０に脚部を装着可能に構成されていても良い。こうすることにより、例えば、被施術者の手の爪を研磨するか、足の爪を研磨するかに応じて、爪研磨用箱型器具１００を配置する高さを容易に調整することが可能となり、爪研磨用箱型器具１００の利便性を高めることができる。
【００４４】
［特許請求の範囲との対応］
上記実施形態の説明で用いた用語と、特許請求の範囲の記載に用いた用語との対応を示す。
【００４５】
アクリル板が透明部材に、フィルタ１３５ａが付着手段に、ファン１４５ａが風圧生成手段に、フィルタ用孔部１３５が付着手段用孔部に、ＬＥＤ照明１７０が発光手段に相当する。
【符号の説明】
【００４６】
１００…爪研磨用箱型器具、１１０…施術者側側面、１１１…右用施術者側孔部、１１２…右用施術者側遮断部材、１１２ａ…開口縁、１１４…左用施術者側孔部、１１５…左用施術者側遮断部材、１１７…装置用孔部、１１８…装置用遮断部材、１１８ａ…切り込み、１２０…被施術者側側面、１２１…右用被施術者側孔部、１２２…右用被施術者側遮断部材、１２２ａ…開口縁、１２４…左用被施術者側孔部、１２５…左用被施術者側遮断部材、１３０…フィルタ側側面、１３５…フィルタ用孔部、１３５ａ…フィルタ、１４０…ファン側側面、１４５…ファン用孔部、１４５ａ…ファン、１５０…底面、１６０…上面、１６１…施術者側傾斜面、１６２…被施術者側傾斜面、１７０…ＬＥＤ照明。
【図１】
2011041653.tif 000003
【図２】
2011041653.tif 000004
【図３】
2011041653.tif 000005
【図４】
2011041653.tif 000006